(57)【特許請求の範囲】
【請求項１】
護岸から海に向けて人工的に遠浅に構成された人工干潟であって、
前記護岸から海に向けて設定した人工干潟予定地内の現地盤を、平均潮位以下の深さに掘削して埋立用の基盤面を形成し、
前記基盤面を形成するに際して掘削した土壌を、前記人工干潟予定地内より沖側の現地盤上に移設して浅瀬を形成し、
前記基盤面を含めた前記護岸と前記浅瀬との間に、透水性を有し微生物の生息環境を有する土砂を埋立てて造成されることを特徴とする人工干潟。
【請求項２】
請求項１記載の人工干潟において、
透水性を有し微生物の生息環境を有する土砂が、浚渫土砂であることを特徴とする人工干潟。
【請求項３】
護岸から海に向けて人工的に遠浅に構成された人工干潟の造成方法であって、
前記護岸から海に向けて設定した人工干潟予定地内の現地盤を、平均潮位以下の深さに掘削して埋立用の基盤面を形成し、
前記基盤面を形成するに際して掘削した土壌を、前記人工干潟予定地内より沖側の現地盤上に移設して浅瀬を形成し、
前記基盤面を含めた前記護岸と前記浅瀬との間に、透水性を有し微生物の生息環境を有する土砂を埋立てて人工干潟を造成することを特徴とする人工干潟の造成方法。
【発明の詳細な説明】
【０００１】
【発明の属する技術分野】
本発明は、海水浄化能が高く、沿岸生物などの生息に適した人工的に造成する干潟に関する。
【０００２】
【従来の技術】
引潮のときに現れる遠浅の海岸部分を干潟というが、元々は遠浅に形成されていない海岸を、遠浅の人工干潟に作り替えることがある。このように人工干潟を造成することにより、例えば、多数の海水浴客を迎えて、夏場の地域振興を図ることも考えられる。
【０００３】
例えば、図３に示すように、護岸１から海側に向けて朔望平均高潮位（Ｈ．Ｗ．Ｌ．）以下に形成された現地盤２の浅瀬部分に、従来工法により人工干潟を造成するには、次のようにして行っている。
【０００４】
先ず、図３に示す現地盤２の浅瀬部分を、人工干潟予定地として設定し、この人工干潟予定地の外周側を海側と画するように堰堤３を設ける。堰堤３を設ける様子を、図４に示す。堰堤３は、例えば、礫などを積み上げたり、あるいはコンクリート施工で構築される。
【０００５】
この堰堤３で仕切られた人工干潟予定地内を、堰堤３から護岸１に向けて傾斜面を構成し、且つ護岸１側が朔望平均高潮位より高くなるように土砂で埋めて、人工干潟を造成している。
【０００６】
【発明が解決しようとする課題】
従来構成の人工干潟の造成では、堰堤より内側で埋め立てが行われるため、どうしても現地盤の好気的で生物の生息に適した浅瀬部分が土砂で埋められて消失する。併せて、堰堤により海水の侵入が遮られるため、人工干潟の干潟土壌への海水の侵入範囲が少なくなる。そのため、当初より現地盤の浅瀬部分に生息していた多様な沿岸生物の生息場が失われる。その結果、海岸部分での生物生息面積が縮小したり、沿岸生物の種や量が減少して、これら生物が担っていた海水の浄化能が低下する。
【０００７】
また、堰堤を設けた人工干潟では、図４に示されるように、その構造上堰堤から海側では水深が急に変化するため、連続的に傾斜した海底に生息する底生生物などの多様な沿岸生物が生息できなくなる。
【０００８】
本発明の目的は、人工干潟において、水深の急変部分をなくすことにある。
【０００９】
本発明の他の目的は、人工干潟において、海水浄化能力の劣化を防止することにある。
【００１０】
【課題を解決するための手段】
本発明は、護岸から海に向けて人工的に遠浅に構成された人工干潟であって、前記護岸から海に向けて設定した人工干潟予定地内の現地盤を、平均潮位以下の深さに掘削して埋立用の基盤面を形成し、前記基盤面を形成するに際して掘削した土壌を、前記人工干潟予定地内より沖側の現地盤上に移設して浅瀬を形成し、前記基盤面を含めた前記護岸と前記浅瀬との間に、透水性を有し微生物の生息環境を有する土砂を埋立てて造成されることを特徴とする。
【００１１】
透水性を有し微生物の生息環境を有する土砂が、浚渫土砂であることを特徴とする。
【００１２】
他の本発明は、護岸から海に向けて人工的に遠浅に構成された人工干潟の造成方法であって、前記護岸から海に向けて設定した人工干潟予定地内の現地盤を、平均潮位以下の深さに掘削して埋立用の基盤面を形成し、前記基盤面を形成するに際して掘削した土壌を、前記人工干潟予定地内より沖側の現地盤上に移設して浅瀬を形成し、前記基盤面を含めた前記護岸と前記浅瀬との間に、透水性を有し微生物の生息環境を有する土砂を埋立てて人工干潟を造成することを特徴とする。
【００１３】
【発明の実施の形態】
以下、本発明の実施の形態を図面に基づいて詳細に説明する。
【００１４】
図１は、本発明の人工干潟の基盤整形の様子と、浅瀬造成との様子を示す断面図である。図２は、本発明に係る人工干潟の断面図である。
【００１５】
図３に示す現地盤２に、本発明の人工干潟の造成方法を適用する場合を例にとり説明する。干出水没する潮間帯にほぼ相当する範囲の人工干潟予定地の現地盤２を、埋立用に掘削する。掘削に際しては、図１に示すように、基盤面４が、潮位が最低になる朔望平均低潮位（Ｌ．Ｗ．Ｌ．）以下の深さとなるようにほぼ平に掘削する。
【００１６】
基盤面４の整形に際して掘削した浅瀬土壌を、人工干潟予定地より先の沖側にに移設して浅瀬５を形成する。移設に際しては、波により攫われない程度の勾配を設けた浅瀬５が形成されるように移設する。
【００１７】
このようにして従来の浅瀬土壌を移設して新たな浅瀬５を沖側に形成することにより、従来構成とは異なり、干潟造成に伴う従来の浅瀬土壌を消失することなく生かして、多様な生物生息の場を新たに創出することができる。かかる浅瀬５の形成は、平均潮位から水深約２、３ｍに設定すれば、沿岸で最も生物が豊富な浅瀬５を造成することができる。
【００１８】
このように浅瀬５を構成しておけば、浅瀬５に生息する多様な沿岸生物により、海水浄化機能を、従来の人工干潟の構成に比べて、劣化させずに済む。さらに、かかる浅瀬５では、上記説明のように沿岸生物が生息できるため、浅蜊などの稚貝を撒くことにより新たな生物供給の場としても有効活用が図れる。
【００１９】
なお、基盤整形の過程で十分な量の掘削した浅瀬土砂が得られない場合には、粒径の大きい土壌を別途他所から搬入して移設し、新たな浅瀬５を造成するようにしてもよい。但し、かかる土壌としては、沿岸生物の生息に適した土壌でなければならないことは勿論である。
【００２０】
移設後、前記基盤整形により形成された基盤面４をも含めて、浅瀬５と護岸１との間を埋め立てる。埋め立てられた範囲の内、潮間帯に属する範囲が人工干潟となる。かかる人工干潟部分の護岸１側は、朔望平均高潮位（Ｈ．Ｗ．Ｌ．）より少し高くなるように設定されている。
【００２１】
上記埋め立てに際しては、海洋から発生する浚渫土砂６を使用する。浚渫土砂６には、透水性の良好な砂の含量が多く適度なシルト、粘土を含むものが好ましい。例えば、海運運行上障害となる浅い海底を浚渫した土砂を使用すればよい。かかる浚渫した土砂は、適度な透水性を有する場合が多く好ましい。特に、貝類などの生物が含まれる土砂を使用すれば、干潟生物の発生を容易にして、埋立部分における海水の浄化能力、土壌浄化能の確保を図ることができる。
【００２２】
また、浚渫土砂６を使用することにより、外部からの持ち込み残土を埋立に使用する残土埋立を行わずに済む。そのため、海洋の外部からの生物種の持込みが防止でき、沿岸生物などの生息環境、生息分布の攪乱を未然に防止することができる。併せて、造成時の大量の残土搬入のコスト、手間なども大幅に削減できる。
【００２３】
浚渫土砂６以外でも、例えば、透水性の良好な砂質土を主体として、適度にシルトや粘土などを配合した土砂を埋め立てに使用してもよい。砂質土を主体として埋め立て部分の透水性を確保することにより、埋め立て土壌中への海水の侵入量を多くして、浄化される海水量を多くすることができる。砂質土を使用することにより、海水浄化に優れた二枚貝の生息環境を確保することもできる。
【００２４】
また、砂質土以外には、シルトや粘土を適度に含ませることにより、微生物の生息環境を整えることができ、埋め立て土壌における浄化能の向上を図ることができる。すなわち、かかる微生物の生息環境に相応しくない従来の人工干潟土壌に比べて、人工干潟土壌の乾燥重量当たりの浄化能の向上が見られる。
【００２５】
上記砂質土と粘土やシルトなどは現場で配合すればよい。配合に際しては、簡易透水性試験器で、例えば透水性が１０-5cm/sec. となるように管理しながら配合すればよい。配合土壌の透水性が１０-5cm/sec. より大きければ、適宜粘土などを配合して調整を行う。
【００２６】
本発明は前記の形態に限定されるものではなく、その要旨を逸脱しない範囲で種々変更可能であることはいうまでもない。
【００２７】
【発明の効果】
本発明によれば、人工干潟の造成に際して堰堤を設けていないため、堰堤を設けた従来構成の人工干潟とは異なり、人工干潟土壌内への海水侵入を増加させることができ、海水侵入量の不足に基づく海水の浄化能の低下を防止することができる。
【００２８】
本発明では堰堤を設けないため、水深の急変箇所が無く、連続的に傾斜した海底に生息する底生生物などの多様な沿岸生物の生息環境の確保が行え、かかる沿岸生物による海水浄化の維持、向上が図れる。
【００２９】
また、既存の浅瀬を土砂で埋め立てる従来構成の人工干潟とは異なり、既存の浅瀬を沖側に新たな浅瀬として移設しているので、既存の底生生物などの多様な沿岸生物の生息環境を確保することができ、かかる沿岸生物による海水浄化能の維持、向上を図ることができる。
【００３０】
人工干潟の埋立部分には、浚渫土砂を使用するため、海洋外から持込む残土埋立を回避して、沿岸生物の生息環境を壊す生物種の持込み等が防止でき、沿岸生物による海水浄化能の維持、向上が図れる。
【図面の簡単な説明】
【図１】本発明の人工干潟の実施の形態における基盤整形、および浅瀬形成の一例を示す断面図である。
【図２】人工干潟の一例を示す断面図である。
【図３】人工干潟を造成する前の状態を示す断面図である。
【図４】従来構成の人工干潟を示す断面図である。
【符号の説明】
１      護岸
２      現地盤
３      堰堤
４      地盤面
５      浅瀬
６      浚渫土
【図１】
0004350848.tif 000002
【図２】
0004350848.tif 000003
【図３】
0004350848.tif 000004
【図４】
0004350848.tif 000005